(57)【要約】【課題】従来の転倒防止用具では、激しい地震動が発生すると、壁面に貼付する材質にザラツキがある場合は、壁面への粘着力が低下し、特に、壁面下地材に石膏ボードが使用されている場合は、石膏ボードの表装紙とともに剥離したり、転倒防止用具自体が破損して家具の転倒防止が難しいという課題がある。【解決手段】家具転倒防止金具を防止するためには、木ネジで壁用金具を壁面に固定し、家具用金具の裏面に粘着性素材を装着した家具用金具を天板後部に貼付し、更に、木ネジで家具天板後部に固定し、壁面用金具と家具用金具をジョイント部材で連結することで、より確実に家具の転倒を防止することができる。【選択図】図１３
2018079290.tif 000002
【特許請求の範囲】
【請求項１】
家具の転倒を防止するために取り付ける家具転倒防止免震金具であって、
一方を長くした略逆Ｕ字形状で金属性素材からなるジョイント部材と、
板状金属性素材からなり、壁と接合させる木ネジを挿入する木ネジ取付け孔と、ジョイント部材を挿通させる挿通孔を有する壁用金具と、
板状金属性素材からなり、家具の上部と接合するための接合部と、前記ジョイント部材を挿通させる挿通部が形成された家具用金具と、を有し、
前記家具用金具は、上面が下面より長く、断面形状が略逆コの字形状で、
前記家具用金具の挿通部は、略逆コの字形状の上面と下面の対向する位置にそれぞれ形成された挿通部端孔の間の空間に設けられ、
前記家具用金具は、前記略逆コの字形状の上面の裏面に粘着性素材が装着され、家具天板部の上面の接合部に粘着されることにより接合され、
前記ジョイント部材は、前記壁用金具の挿通孔及び前記家具用金具の挿通部に跨ぐように挿通されることにより、家具の転倒を防止することを特徴とする家具転倒防止免震金具。
【発明の詳細な説明】
【技術分野】
【０００１】  本発明は、家具の転倒を防止するために、壁用金具と家具用金具とを連結するジョイント部材を構成とした家具転倒防止免震金具に関する。
【背景技術】
【０００２】  従来の家具転倒防止金具は、壁面に固定した壁用金具と、家具に固定した家具用金具と、ジョイント部材で連結させたものがある（例えば、特許文献１参照）。【０００３】  特許文献１は次のような構成となっている。壁用金具は木ネジを用いて壁面に縦方向に固定し、家具用金具は木ネジを用いて家具天板背部に横方向に固定され、壁用金具及び家具用金具にはジョイント部材を挿通するための挿通孔と、壁面及び家具天板後部に木ネジで固定する取付けネジ孔が設けられている。【０００４】  ジョイント部材は輪状の略中央部で一部が重なり合うステンレスバネ鋼であり、壁用金具と家具用金具の挿通部を跨ぐようにして挿通し、壁用金具と家具用金具を連結させる構成としている。
【先行技術文献】
【特許文献】
【０００５】
【特許文献１】特開２０１６−１２３７０１号公報
【発明の概要】
【発明が解決しようとする課題】
【０００６】  しかしながら、ジョイント部材は弾性の金属性素材（ステンレスバネ鋼）からなり、装着は容易であるが、住宅リフォームや引っ越し等で家具を移動する際は、ジョイント部材を脱離する必要がある。壁用金具と家具用金具をジョイント部材で連結すると、壁面と家具背面との隙間間隔は数センチメートルしかなく、狭いスペースでジョイント部材が重なり合う部分にドライバー等の道具を用いて隙間を作り、ペンチ等で掴んで、壁用金具と家具用金具の下端を通過させて引き抜く必要があり、ジョイント部材を脱離するために手間と時間が掛かるという課題があった。【０００７】  以上に述べた家具転倒防止金具は、ジョイント部材の取り付けは簡単であるが、取り外しに手間と時間が掛かるという課題を解決するため、ジョイント部材の取り付けと取り外しが簡単にできる家具転倒防止免震金具を実現することを目的とするものである。
【課題を解決するための手段】
【０００８】  そして、本発明は上記目的を達成するために、
第１の課題解決の手段は、家具の転倒を防止するために取り付ける家具転倒防止免震金具であって、
一方を長くした略逆Ｕ字形状で金属性素材からなるジョイント部材と、
板状金属性素材からなり、壁と接合させる木ネジを挿入する木ネジ取付け孔と、ジョイント部材を挿通させる挿通孔を有する壁用金具と、
板状金属性素材からなり、家具の上部と接合するための接合部と、ジョイント部材を挿通させる挿通部が形成された家具用金具と、を有し、
家具用金具は、上面が下面より長く、断面形状が略逆コの字形状で、
家具用金具の挿通部は、略逆コの字形状の上面と下面の対向する位置にそれぞれ形成された挿通部端孔の間の空間に設けられ、
家具用金具は、略逆コの字形状の上面の裏面に粘着性素材が装着され、家具天板部の上面の接合部に粘着されることにより接合され、
ジョイント部材は、壁用金具の挿通孔及び家具用金具の挿通部に跨ぐように挿通されることにより、家具の転倒を防止することを特徴とするものである。
【発明の効果】
【０００９】  第１の解決手段によれば、一方を長くした略逆Ｕ字形状で金属性素材からなるジョイント部材と、板状金属性素材からなる壁と接合させる木ネジを挿入する木ネジ取付け孔とジョイント部材を挿通させる挿通孔を有する壁用金具と、板状金属性素材からなる家具の上部と接合するための接合部と、ジョイント部材を挿通させる挿通部が形成された家具用金具で構成され、ジョイント部材が、壁用金具の挿通孔及び家具用金具の挿通部に跨ぐように挿通されることにより、家具の転倒を防止することができる。また、家具用金具は、上面が下面より長く、断面形状が略逆コの字形状で、家具用金具の挿通部は、略逆コの字形状の上面と下面の対向する位置にそれぞれ形成された挿通部端孔の間の空間に設けられ、家具用金具は、略逆コの字形状の上面の裏面に粘着性素材が装着され、家具天板部の上面の接合部に粘着されることにより接合され、家具の迫り上がりを抑止し、家具の転倒を防止することができる。
【図面の簡単な説明】
【００１０】
【図１】本発明の第１の実施形態における家具転倒防止免震金具を装着した側面図。
【図２】同家具転倒防止免震金具の平面図。
【図３】（Ａ）同家具転倒防止免震金具の壁用金具の正面図。（Ｂ）同家具転倒防止免震金具の壁用金具の平面図。（Ｃ）同家具転倒防止免震金具の壁用金具の側面図。
【図４】（Ａ）同家具転倒防止免震金具のジョイント部材の正面図。（Ｂ）同家具転倒防止免震金具のジョイント部材の平面図。（Ｃ）同家具転倒防止免震金具のジョイント部材の側面図。
【図５】同家具転倒防止壁用免震金具の壁用金具を壁面内部の柱（間柱含む）に木ネジを取り付ける状態を示す斜視図。
【図６】（Ａ）同家具転倒防止免震金具の壁用金具を木ネジで装着した状態を示す正面図。（Ｂ）同家具転倒防止免震金具の壁用金具を木ネジで装着した状態を示す平面図。（Ｃ）同家具転倒防止免震金具の壁用金具を木ネジで装着した状態を示す側面図。
【図７】同家具転倒防止免震金具の家具用金具を家具天板背部に木ネジで取り付ける状態を示す斜視図。
【図８】（Ａ）同家具転倒防止免震金具の家具用金具を家具天板背部の左側に装着した状態を示す正面図。（Ｂ）同家具転倒防止免震金具の家具用金具を家具天板背部の左側に装着した状態を示す平面図。（Ｃ）同家具転倒防止免震金具の家具用金具を家具天板背部の左側に装着した状態を示す側面図。
【図９】（Ａ）同家具転倒防止免震金具のジョイント部材を壁用金具の挿通孔と家具用金具の挿通部に挿通する状態を示す側面図。（Ｂ）同家具転倒防止免震金具のジョイント部材を壁用金具の挿通孔と家具用金具の挿通部に挿通し、連結した状態を示す側面図。
【図１０】同家具転倒防止免震金具を装着し、家具の前倒れ状態を示す側面図。（★印は家具転倒防止のための係止点を示す。）
【図１１】同家具転倒防止免震金具おいて、直下型地震による上下動発生時の家具の飛び上がりを制止する状態を示す側面図。（★印は家具の飛び上がりを制止する係止点を示す。）
【図１２】（Ａ）本発明の第２実施形態における家具転倒防止免震金具の家具用金具の平面図。（Ｂ）同家具転倒防止免震金具の家具用金具の正面図。（Ｃ）同家具転倒防止免震金具の家具用金具の側面図。
【図１３】（Ａ）同家具転倒防止免震金具の家具用粘着金具を家具天板上面の接合部に接合した状態を示す平面図。（Ｂ）同家具転倒防止免震金具の家具用粘着金具を家具天板上面の接合部に装着した状態を示す側面図。
【発明を実施するための形態】
【００１１】  以下、本発明の実施の形態を図面を参照しながら説明する。なお、この実施の形態によって本発明が限定されるものではない。
【００１２】本発明の第１の実施形態について、図１〜図１１に基づいて説明する。
図１は、本発明の第１の実施形態を示す構成図である。
【００１３】  図１に示すように、本発明の家具転倒防止免震金具は、壁用金具１と家具用金具２とジョイント部材３とからなる。そして、壁用金具１は木ネジ５で柱（間柱含む）１３に固定され、家具用金具２は木ネジ５で家具１８の上部に位置する家具天板背部１４に固定される。
【００１４】  さらに、ジョイント部材３は、壁用金具１の壁用金具挿通孔８ａと家具用金具２を家具天板背部１４に固定することにより形成される挿通部９とを跨ぐように挿入される構成である。なお、前述の柱（間柱含む）１３の表面には壁下地材（石膏ボード等）１２と壁紙１１を備えている。
【００１５】  図２は、図１の平面図であり、図１と同符号の部分は同一構成であり、壁用金具１と家具用金具２とジョイント部材３で構成された３種類の金具間には遊び空間が生じていることを示し、図２に示された符号は同一であり説明は省略する。
【００１６】  図３（Ａ）は、上記壁用金具１の形状を示す正面図であり、４は上記壁用金具１を柱（間柱含む）１３に装着するネジ取付け孔４であり、木ネジ５を取り付ける際、上記木ネジ５の頭部が金具の表面から突出することを回避するため、木ネジ取付け孔４の周囲を削り取った部分が座刳り６であり、７は木ネジ５を取り付ける際にドライバーを挿入するドライバービット挿入孔で、柱（間柱含む）１３のひび割れや損傷を回避するため、木ネジ取付け孔４の位置を縦・横方向ともに、一列に並ばないようにランダムに配置していることを示している。
図３（Ｂ）は、上記壁用金具１の平面図であり、壁用金具１の壁用金具挿通孔８ａの形  状は楕円形状であることを示している。
図３（Ｃ）は、上記壁用金具１の側面図であり、８ａは上記ジョイント部材を挿入する  壁用金具挿通孔で、９はジョイント部材３を挿入する挿通部である。
【００１７】  図４（Ａ）は、上記壁用金具１と上記家具用金具２を連結する上記ジョイント部材３の正面図である。一方を長くした板状の金具であり、該ジョイント部材３は、壁用金具１の壁用金具挿通孔８ａと家具用金具２の挿通部内を自在に動き、地震による衝撃を吸収・緩和する機能を発揮する。
図４（Ｂ）は、ジョイント部材３の平面図である。
図４（Ｃ）は、ジョイント部材３の側面図であり、上部の形状は略逆Ｕ字形の楕円状であることを示し、該ジョイント部材３の長さが長い方の下部は、略逆Ｕ字形の内側に向かって曲がった略Ｌ字形状であることを示している。
【００１８】  図５は、上記壁用金具１を壁面内に存する柱（間柱含む）１３に木ネジ５で固定する状態を示す左下方から見た斜視図であり、ドライバービット挿入孔７からドライバーを挿入し、木ネジ５を木ネジ取付け孔４に装着し、６は木ネジの頭部が金具から突出することを回避する座繰りであり、木ネジ５は壁紙１１と壁下地材（石膏ボード等）１２を貫通して木ネジ５をねじ込んで柱（間柱含む）１３に固定される。
【００１９】図６（Ａ）は、上記壁用金具１を木ネジ５で壁面に固定した状態を示す正面図であり、木ネジ５で柱（間柱含む）１３に固定する状態を示している。
図６（Ｂ）は、上記  壁用金具１を木ネジ５で柱（間柱含む）１３に固定した状態を示す平面図であり、８ａは壁用金具１に開孔された挿通孔である。
図６（Ｃ）は、上記壁用金具１を柱（間柱含む）１３に固定した状態を示す側面図であり、８ａは壁用金具挿通孔であり、９は壁用金具１を固定することにより生じる挿通部である。
【００２０】  図７は、上記家具用金具２を家具天板背部１４に固定する状態を示す左上方から見た斜視図であり、ドライバービット挿入孔７からドライバーを挿入し、木ネジ５は、木ネジ取付け孔４から壁紙１１と壁下地材（石膏ボード等）１２を貫通させて柱（間柱含む）１３に固定される。
【００２１】  図８（Ａ）は、壁用金具１と同形状の金具を、左右何れかの方向に略９０度回転して併用する家具用金具２を、木ネジ５を用いて家具天板背部１４に固定した状態を示す正面図であり、家具用金具２を固定する位置は、壁用金具１が壁面に固定された縦方向の高さと家具天板背部１４の横方向の位置が一致し、相対面する位置に固定される。
図８（Ｂ）は、上記家具用金具２を家具天板背部１４に固定した状態を示す平面図であり、９は家具用金具２を家具天板背部１４に固定することにより生じる挿通部であり、ジョイント部材３は該挿通部に挿入され、壁用金具１と家具用金具２が連結される。
【００２２】  図９（Ａ）は、上記ジョイント部材３を指先で摘まみ、上記壁用金具１の壁用金具挿通孔８ａ及び家具用金具２の挿通部９に上方から挿入する状態を示したものであり、ジョイント部材３の長さが長い方を家具用金具２の挿通部９へ挿入し、長さが短い方は壁用金具１に挿入される。ジョイント部材３で壁用金具１と家具用金具２が連結される状態を示す側面図である。
図９（Ｂ）は、ジョイント部材３が壁用金具１の壁用金具挿通孔８ａと家具用金具２の挿通部９に完全に挿通されて壁用金具１と家具用金具２が連結され、家具転倒防止免震金具の機能が発揮できる状況を示した側面図であり、ジョイント部材３の一方の長さが長い方は家具用金具２の底部を通過し、完全に貫通している状況を示している。なお、当該図に示すべき符号は上記図９（Ａ）と同一であり表示及び説明は省略する。
【００２３】  図１０は、地震動による前後揺れが発生した場合の家具１８が前倒れを防止する状態を示す側面図であり、家具１８が前倒れする際の家具天板背部１４の迫り上がりと連動して家具天板背部１４に固定された家具用金具２の上部はジョイント部材３と共に上方に引き上げられ、ジョイント部材３の下部先端の略Ｌ字形状部が壁用金具１の底部に係止し、家具１８の前倒れによる転倒を防止する状態を示すものである。（★印は家具１８の転倒を防止するための係止点を示す。）
【００２４】  図１１は、地震による上下動が発生した場合の家具転倒防止免震金具の動きとジョイント部材３の作用を示すものである。上下動により家具１８の飛び上がりが発生すると、家具用金具２はジョイント部材３と共に上方に移動し、ジョイント部材３の先端の略Ｌ字形状部が壁用金具１の下部に係止して家具１８の飛び上がりを制止し、家具１８の移動や転倒を防止する。（★印は家具１８の転倒を防止するための係止点を示す。）
本発明の第２の実施形態について、図１２〜図１３に基づいて説明する。
【００２５】  図１２（Ａ）は、家具用金具２を家具１８の上部に装着する際、家具天板背部１４が脆弱で木ネジ５で固定することが困難な場合において、家具天板上面１５に固定する家具用粘着金具１６の平面図であり、家具用粘着金具１６にはジョイント部材３を挿入する家具用金具挿通孔８ｂと家具天板上面１５に木ネジ５で固定する木ネジ取付け孔４を有している。
図１２（Ｂ）は、家具用粘着金具１６の正面図である。
図１２（Ｃ）は、家具用粘着金具１６を家具天板上面１５に固定する状態を示す側面図であり、４は木ネジ５を装着する木ネジ取付け孔であり、６は木ネジ５を装着した際に木ネジ５の頭部の突出を回避する座刳りであり、８ｂはジョイント部材３を挿入する家具用金具挿通孔である。
【００２６】  図１３（Ａ）は、家具用粘着金具１６を家具天板上面１５に木ネジ５で固定した状態を示す平面図であり、家具用粘着金具１６の家具用金具挿通孔８ｂは、壁用金具１の壁用金具挿通孔８ａにジョイント部材３を挿通して連結するための挿通孔である。
図１３（Ｂ）は、家具用粘着金具１６の裏面に粘着度の高い粘着性素材１７を装着し、家具天板上面１５に固定した状態を示す側面図である。尚、家具天板背部１４が特に脆弱な場合は、木ネジ５ないし釘で家具天板上面１５に固定し、家具１８の家具用粘着金具１６からの脱離を防止することを示している。
【実施例１】
【００２７】  本発明は、主に居室内での家具転倒防止免震金具であり、マンション及びオフィスビルのコンクリート製壁面にアンカーを装着することにより、家具、書庫・ロッカー等の転倒防止免震金具としての利用が可能であり、さらに、アンカーボルト等を用いて壁面と金属製保管庫の上部背面とを固定することにより、生産工場等での重量が重い部品、サンプル、工具の保管庫等の転倒防止免震金具として利用・実施が可能である。
【実施例２】
【００２８】  本発明は、医療・介護施設等において、医薬品、介護用品、ファイル式カルテ、医療機器・用品等の保管庫の転倒防止免震金具としての利用・実施が可能である。
【実施例３】
【００２９】  本発明は、地方行政機関・自治会等での地震災害発生時の救急・救助用品、非常用備品、非常食等の保管庫の転倒防止免震金具としての利用・実施が可能である。
【実施例４】
【００３０】  本発明は、高層ビル、マンション等の震災発生時の救急・救助用品、非常・避難用備品、非常食等の保管庫の転倒防止免震金具としての利用・実施が可能である。
【産業上の利用可能性】
【００３１】  本発明は、既存の金属性素材、機械・装置等を活用し、既存技術による加工が可能であり、新たな設備投資を要せず、製造コストの低減を図り、廉価で社会に提供することができる。また、家具転倒防止免震金具の装着に要する道具は、壁下地センサー、巻き尺、電動ドライバー、木工用ドリルビット等であり、装着に要する費用と時間を最低限に抑えることができる。
【符号の説明】
【００３２】１    壁用金具
２    家具用金具
３    ジョイント部材
４    木ネジ取付け孔
５    木ネジ
６    座刳り
７    ドライバービット挿入孔
８ａ  壁用金具挿通孔
８ｂ  家具用金具挿通孔
９    挿通部
１０  接合部
１１  壁紙
１２  壁下地材（石膏ボード等）
１３  柱（間柱含む）
１４  家具天板背部
１５  家具天板上面
１６  家具用粘着金具
１７  粘着性素材
１８  家具
１９  床
【図１】
2018079290.tif 000003
【図２】
2018079290.tif 000004
【図３】
2018079290.tif 000005
【図４】
2018079290.tif 000006
【図５】
2018079290.tif 000007
【図６】
2018079290.tif 000008
【図７】
2018079290.tif 000009
【図８】
2018079290.tif 000010
【図９】
2018079290.tif 000011
【図１０】
2018079290.tif 000012
【図１１】
2018079290.tif 000013
【図１２】
2018079290.tif 000014
【図１３】
2018079290.tif 000015